【手続補正書】
【提出日】平成16年6月18日(2004.6.18)
【手続補正１】
【補正対象書類名】明細書
【補正対象項目名】特許請求の範囲
【補正方法】変更
【補正の内容】
【特許請求の範囲】
【請求項１】
腰掛便器４０の便座１に於いて平面視馬蹄形状に前方が湾曲形状、同じく湾曲部が左右に分割されて後方部２ｃで連結された形状の各便座１が、腰掛便器４０の後方上部に於いた軸支装着され、該便座１の便座台２の左右双方の所定腰掛区間を断面Ｕ字形状に構成して上部を開放し空洞部４を形成する、其の空洞部４の両側壁の上部に受台部３を設け、該受台部３又は便座台２の所要個所にストッパー３ｃ等の位置決め手段を装備し、該便座台２の腰掛け着座部分を構成する別途、平面視矩形状を呈した腰掛部１ａを該ストッパー３ｃ間の所定腰掛区間に載置し、便座台２と腰掛部１ａが遊離重合した湾曲、又は分割された形状の便座１を各々に構成して着座使用される、更に腰掛便器４０に装備されたハウジング１４に収納されている腰掛部１ａを包含、又は敷設する長尺の便座カバー４２が引き出され、該便座１の左右双方に載置された両腰掛部１ａの後方挿入端８より包含、又は敷設を始め、同じく他端前方の抜出端９へ左右同様に摺動進行させて腰掛部１ａの包含、又は敷設を終わり、更に進んで前述の湾曲形状の場合は便座台前方湾曲部２ｂ内に装備された誘導装置７ａ、また別の分割形状の便座１の場合は左右の抜出端９の前方端を覆被する便座台カバー７の内部に装備された反転装置６ａにより、誘導または反転させて各々に便座台２の空洞部４を通りハウジング１４内の巻取装置に一定長を巻き取り停止させ、左右同様に腰掛部１ａを該便座カバー４２により包含、又は敷設した便座１を構成して着座使用する、使用が終つて立ち上がり、使用された便座カバー４２が巻取られると同時に腰掛部１ａを同じく便座カバー４２に引続き新しく包含、又は敷設して停止させ便座１は常に新しく包含、敷設され着座使用される、此のサイクルを手動及び他の手段、装置等により繰り返し包含、敷設を係回して使用する事を特徴とする便座カバーの包含、敷設及び巻取装置付き便座。
【請求項２】
便座カバー４２の巻取りは電動の場合、手動スイッチＳ１、又は便座蓋３０の開閉関連機構に装備された感知装置により便座蓋３０の開口を感知して作動し便座１に人体が着座し、使用が終わり、立ち上がり無負荷を便座１が感知後に便座蓋３０の閉口を感知して巻取られ停止する、其の一定長を巻取り停止させる手段である、ロータリーエンコーダー又は其の他の一定長巻取作動装置を装備して着座使用毎に巻取り停止させる、更に使用済み便座カバー４２のロールの巻取り限度を感知する制御装置及びセンサー等を所定個所に装備し、巻取限度到着前の予報及び到達を感知して表示、又は巻き取りを停止させる事を特徴とする特許請求の範囲第１項記載の便座カバーの包含、敷設及び巻取装置付き便座の便座カバーの一定長巻取り及び停止装置。
【請求項３】
便座カバー４２は管状、又は帯状を呈し、共に長尺の薄いフイルム又はシート等が使用され、巻取られたロールの最終端末部と爾後に追加接続する便座カバー４２との接着接続及びセッテイング手段を容易にし、また便座カバー４２に着色又は印刷等を施して表示、又は一定長を感知巻取停止、又は供給最終端を感知停止させるポイント１７ａ等を施し、該ポイントに感知する感知制御作動装置又は手段を所定個所に装備して一定長を巻取り更に最終端末部を感知して表示及び巻取りを停止させる事を特徴とする特許請求の範囲第１項より２項記載の便座カバーの包含、敷設及び巻取装置付き便座の便座カバーと感知制御作動装置機構。
【請求項４】
巻取駆動軸２３の先端に軸着遊嵌する掛止部付き回転体又は歯車ボス２８のボス等の外周面に、長尺フイルムを巻取り可能な巾の長さをした数本の骨組材２４の一方端を軸先端方向へ錐形状に束ね合わせて装着又は固着させ、該装着又は固着部分に弾力性を保持させて復元力のある錐形状ボビンを形成する、其の集合す錐形状の尖端中芯部に軸先端方向へ開口する挿入孔３７を具備した巻取ボビン２２を構成する、更に別装置の先端部３６ａを突出させ軸着して自由に回転する円錐頭軸３６を装備し、前述の巻取ボビン２２の先端挿入孔３７に迎合挿入して挿脱を可能とし、其の挿脱により筒状に変形、又は元の錐形状に復元する構成とし、其の巻取ボビン２２が巻取方向に空転し、反対方向の駆動軸２３の回転に掛止連動して回転する為の駆動軸２３に固着回転する回転板２６及びラチエット爪２９等により構成される掛止装置を巻取ボビン２２の軸付根に軸着装備して回転させ巻取ボビン２２が巻取方向に空転し、他方向の軸回転に掛止回転する構成とし、其の巻取ボビン２２に所要の長さの直線状をした狭持棒２５を骨組材２４と同様に当該回転体又は歯車ボス等の外周面に駆動軸２３と並行して一方端を割込み固着し仮巻用の狭持棒２５を装着構成し、巻取ボビン２２が錐形状の時に狭持棒２５を錐形状の外部へ突出させ、該狭持棒２５に直接フイルム等を引掛けて仮巻きをし巻取ボビン２２が錐形状の時にセッテイングを可能にする、更に巻取ボビン２２の挿入孔３７に円錐頭軸３６が挿入され筒状に変形されてフイルム又はシート等が巻取られ、更に巻取られたロールが巻取ボビン２２から円錐頭軸３６が抜出され錐形状時に簡易に抜外し出来る巻取装置を駆動軸に構成した事を特徴とするフイルム等の巻取装置。
【請求項５】
腰掛便器４０のハウジング１４は外側壁３４及びハウジングカバー１４ｂにより必要手段を装備して覆被保護され、該ハウジング１４内に収納される便座カバー４２はロール形状又は折畳形状を呈して収納され、装備された供給軸１１に掛支、又は供給受皿４８等に収納され自由に引出されて供給される、尚ハウジング１４に蝶着され回動する左右の外側壁３４の内壁に巻取り駆動軸２３の左右両端に装備された巻取ボビン２２の先端に対向して迎合する所定位置に、前述の円錐頭軸３６を装着し、左右の外側壁３４の開閉回動により左右に装着された巻取ボビン２２と円錐頭軸３６とが各々挿脱を可能にし、円錐頭軸３６が挿入され筒状時に便座カバー４２の一定長を巻取り腰掛部１ａを包含、又は敷設して左右同様に停止する、巻かれたロールは該円錐頭軸３６が巻取ボビン２２から抜出されて錐形状時に取外され、更に新しい便座カバー４２のセッテイングが行われる事を特徴とする特許請求の範囲第１項より４項記載の便座カバーの包含、敷設及び巻取装置付き便座の巻取及び供給装置。
【請求項６】
管状便座カバー１５が摺動する其の内外周面に接する腰掛部１ａ及び関連する機構の摺接面に、一部または全面に保温材３９を装着し、保温及び摺動を醸成し又、腰掛部１ａの裏面と受台部３との当接面に空間と摺動を保持する為の凸部又は線状凸部１ｂ等を補助装備して摺動包含させる、又別の構成で受台部３と腰掛部１ａが当接し一体化された便座１の場合は前述と同様に保温材３９を腰掛部１ａの摺動面に装着し其の上面に帯状便座カバー１６を摺動敷設して使用する事を特徴とする特許請求の範囲第１項より５項記載の便座カバーの包含、敷設巻取装置付き便座の保温と摺動保護装置。
【請求項７】
腰掛部１ａは表面及び裏面等に補強手段として突起部又は横断面を変形又は曲面形状に構成し、また装着する保温材３９にクッション３９ａ等を併用して保温とクッシヨンを保つと共に衛生的及び環境保全のため保健衛生用薬剤及び香料等を注入したり又は其の他の手段で保護し又、静電気の除去装置を施し更に寒冷地では腰掛部１ａに暖房装置を装備する事を特徴とする特許請求の範囲第１及び６項記載の便座カバーの包含、敷設巻取装置付き便座の腰掛部と機構の保全。
【請求項８】
腰掛部１ａと便座台２とが重合する受台部３に位置決め手段としてブリッジ３ａを連架する腰掛部１ａの抜出端９側に装備されるブリッジ３ａの所定箇所に掛止軸９ａを突設させ、受台部３に載置する腰掛部１ａの所要箇所に該、掛止軸９ａと迎合する位置に掛止孔９ｂを開孔し各々を迎合挿嵌させて左右の腰掛部１の載置位置を確保維持する尚、腰掛部１ａを包含、摺動する管状便座カバー１５の空洞部４側の摺動面が、該掛止軸９ａとの当接を回避する為に掛止軸９ａの当接面、又は腰掛部１ａ等の関連する所要箇所に管状便座カバー１５の摺動当接面を切開するカッタ刃９ｃを装備して摺動と同時に切開して当接を回避させ巻き取る事を特徴とする特許請求の範囲第１項記載の便座カバーの包含、敷設及び巻取装置付き便座の腰掛便座機構。
【請求項９】
左右の便座台２に載置された腰掛部１ａの挿入端８から抜出端９の方向へ包含、又は敷設進行する便座カバー４２の摺動進行方向を逆方向に進行させて巻取る為に、関連する所定の装備及び機構とを其の目的に迎合する為に変更し対応装備構成して逆方向に摺動進行させるべく、抜出端９から摺動進行させ挿入端８方向に抜出し対応構成し逆方向に巻取り摺動進行する事を特徴とする特許請求の範囲第１項より８項記載の便座カバーの包含、敷設巻取装置付き便座の巻取機構と其の構成。
【請求項１０】
便座蓋３０が開口されて便座１に人体の着座が感知されず、一定時間経過後に制御作動装置等が停止されて推移し、其の後に於いて一定時間内に着座が感知された場合、再作動して復元起動し通常の使用が開始される、然し着座が感知されずに当該便座蓋３０の閉口が感知された場合、便座カバー４２の一定長巻取作動装置が作動せず、次のステップへ移行する不使用防止制御作動装置が構成され、又便座に着座使用されて一定時間経過後、便座蓋３０の閉口がない場合、一定時間経過後に於いて便座蓋３０の閉口の有無に関係されず自動的に一定長巻取作動装置４４が作動し便座カバー４２が巻取られ次のステップへ移行する事を特徴とする特許請求の範囲第１項記載の便座カバーの包含、敷設巻取装置付き便座の不使用巻取防止制御作動装置。
【請求項１１】
当該使用される便所入口戸の開閉又は開戸防止用内錠の施錠を感知して、待機状態の当該便所に関連する制御作動装置が作動して当該便所が使用され、終つて内錠の解錠及び入口戸の開閉を感知作動して当該、便所の制御作動装置等の作動が停止して、元の当該便所の待機状態に戻り維持する為のセンサー又は感知作動制御装置等を当該便所の入口戸及び入口戸に関連する機構に組み込み装備構成した事を特徴とする特許請求の範囲、当該便所の制御作動装置機構。